(57)【要約】【課題】騒音を効果的に防止するとともに、消費電力の増加を抑制して適正な装置内温度に設定することができるようにする。【解決手段】無線基地局装置の筐体７の空気吹出口９に騒音防止シャッタ１３を設け、夜間には、防音シャッタ１３を全閉状態（図２（ｃ））とし、昼間では、半開状態（図２（ｂ））とする。全閉状態でも、防音シャッタ１３にフィルタ１４を設けることにより、空気の吹き出しができるようにする。ファン１０を装置内温度に対応する回転速度で回転しても、装置内温度が飽和して低下しないときには、夜間には、防音シャッタ１３を全閉状態から半開状態に変更し、昼間では、半開状態から全開状態（図２（ａ））に変更し、冷房能率を高めるようにする。【選択図】        図２
2004187166.tif 000002
【特許請求の範囲】
【請求項１】
筐体に収納され、該筐体内を冷却する冷却手段を備えた無線基地局装置において、
該筐体に形成された該筐体内の冷房のための空気の吹出口に設けられた防音シャッタと、
規定された時間帯に応じて該防音シャッタの開閉状態を変更する第１の制御手段と、
該筐体内の温度を検出する温度センサと、
該温度センサの検出温度に応じた該冷却手段のファンの回転速度を規定する温度テーブルと、
該温度センサの検出温度に応じた該回転速度を該温度テーブルから読み取り、該冷却手段のファンの回転速度を読み取った該回転速度に設定する第２の制御手段と
を設けたことを特徴とする無線基地局装置。
【発明の詳細な説明】
【０００１】
【発明の属する技術分野】
本発明は、無線基地局の局舎の屋上などの屋外に設置される冷却手段を備えた無線基地局装置に関する。
【０００２】
【従来の技術】
従来、無線基地局装置は、筐体内に収納されて屋内に設置されるものと屋外に設置されるものとがある。無線基地局の局舎内などの屋内に設置される無線基地局装置では、その筐体内の温度（以下、装置内温度という）が過度に上昇するのを防止するために、無線基地局でのこの無線基地局装置が設置されている部署に空調設備が備え付けられており、室内を一定の理想的な温度に調整している。
【０００３】
これに対し、局舎の屋上などの屋外に無線基地局装置を設置する場合には、空調設備によって外気温度を管理することができないから、この無線基地局装置は外気温度の影響を受け易いものとなる。このため、かかる無線基地局装置においては、これが設置される環境の最大温度条件に合わせて筐体の熱設計が行なわれ、また、ファンなどの冷却手段を設けて装置内部を冷却し、装置内温度を規定の温度以下となるようにしている。
【０００４】
図７は冷却手段を備えたかかる従来の無線基地局装置の一従来例の回路ブロック構成を示すブロック図であって、１は送受信アンテナ、２は無線部、３は信号処理部、４は有線インターフェース部、５は制御部、６は冷却手段である。
【０００５】
同図において、有線インターフェース部４は、図示しない無線基地局内の回線網と接続されており、この無線基地局から図示しない移動無線局に信号を送信する場合には、制御部５の制御のもとに、この回線網から有線インターフェース部４を介して送信する信号が供給され、信号処理部３で所定の信号処理がなされた後、無線部３に供給されて所定周波数帯の送信信号に変換され、さらに、電力増幅されて送受信アンテナ１から送信される。また、図示しない無線移動局からの信号を受信するときには、この信号の電波が送受信アンテナ１から無線部２に受信され、所定の受信処理がなされた後、受信信号として信号処理部３に供給され、所定の信号処理がなされる。この信号処理部３から出力される受信信号は、有線インターフェース部４を介して無線基地局内の回線網に送られる。
【０００６】
かかる無線基地局装置には、さらに、ファンなどからなる冷却手段６が設けられており、制御部５により、所定の回転速度で運転されるように制御されている。かかる無線基地局装置は、それが使用される場所の環境、具体的には、装置内（即ち、筐体内）の最大温度条件に合わせて熱設計されており、これにより、冷却手段６としては、例えば、装置内の最大温度条件を５０℃とし、ファンの回転速度を装置内温度がこの最大温度条件の５０℃であるときに最適な冷却効果が得られる４０００ｍｉｎ−１としている。制御部５は、このファンの回転速度が４０００ｍｉｎ−１となるように、冷却手段を制御する。
【０００７】
図８はかかる無線基地局装置の外観を概略的に示す斜視図であって、７は筐体、８は空気吸込口、９は空気吹出口、１０はファンである。
【０００８】
同図において、図７に示したブロック構成は筐体７内に収納されている。この筐体１の、例えば、上面側には、冷却手段（図７）の空気吸込口８が設けられ、その側面にファン１０が取り付けられた空気吹出口９が設けられている。空気吸込口８には、外部からの侵入物を阻止するためのフィルタが取り付けられている。
【０００９】
ファン１０の回転により、空気吸込口８から外気が吸い込まれ、この空気が筐体７内の熱を吸収して空気吹出口９から排出される。これにより、筐体７内部の冷却が行なわれる。
【００１０】
ところで、このような冷却手段６は、夜間と昼間とで外気温度に変化があっても、また、外気温度が低くて装置内温度が最大温度条件５０℃に達しないような地域にあっても、ファンをこの規定の回転速度４０００ｍｉｎ−１で回転させるように、運転される。このため、装置内の冷却を必要としないときでも、また、冷却はするとしても、このようなファンの高速回転を必要としない冷却であっても、このようなファンの高速回転による冷却運転が行なわれ、無駄な冷却が行なわれることになる。このような無駄な冷却運転は、消費電力を無駄に増加されることになる。
【００１１】
一方、無線基地局装置の他の従来の冷却手段として、さらに、消費電力の低減を目的とした冷却手段が提案されている。これは、外部ファンによって循環される無線基地局装置の筐体内の空気の熱を吸収し、外部ファンによって外部から吸い込まれて外部に排出される外気にこの熱を送り込む熱交換器を備えるとともに、筐体内の温度を検出するサーミスタを備え、このサーミスタの検出温度に応じて、この検出温度が低いほど、外部，内部ファンの回転速度を低くし、所定の温度以下になると、これらファンを停止させるようにしたものである（例えば、特許文献１参照）。
【００１２】
また、このようなファンが設けられた冷却手段やさらに熱交換器が設けられた冷却手段では、筐体内の空気の流れによる騒音やファンが空気を切るときの騒音，ファンモータの回転音などの騒音が発生する。かかる騒音は、図８に示すような筐体７の空気吸込口８や空気吹出口９などから外部に排出される。かかる騒音は、特に、無線基地局装置が住宅街などの人家に近い場所に設置されているときには、環境問題を引き起こす。従って、無線基地局装置にとって、騒音防止も、環境対策の一つとして配慮することが必要がある。
【００１３】
無線基地局装置の騒音対策の一つとして、従来、防音フードを用いる方法が提案されている。これは、無線基地局装置の筐体の空気吸込口と空気吹出口とに吸音材を用いたフードを設けるものであって、かかるフード内に吸音材からなる障害物を設けている。筐体内で発生した騒音は、このフード内を通るときに、障害物に衝突し、衝突する毎に吸音されて減衰する。このようにして、外部に放出される騒音を低減するようにしている（例えば、特許文献２参照）。
【００１４】
【特許文献１】
特開平１０ー２６９７号公報
【００１５】
【特許文献２】
特開２０００ー２２３８４９号公報
【００１６】
【発明が解決しようとする課題】
ところで、上記特許文献１に記載の従来技術と上記特許文献２に記載の従来技術とを用いることにより、冷却手段での消費電力の低減を図りながら、騒音の低減も可能とした無線基地局装置を実現することができる。
【００１７】
しかしながら、上記特許文献２に記載の騒音防止方法によると、フードが吸込空気や吹出空気に対してその流れを妨げる抵抗として作用する。筐体内の温度が比較的低温でファンを高速で回転させる必要がない場合には、流れる空気量も少なく、空気速度も遅くできるから、各別問題にはならないかも知れないが、高温で筐体内での空気の熱交換を急速に行なう必要がある場合には、ファンの高速回転が必要となる。このような場合には、多量の空気が高速に吸い込まれ、吹き出されることが必要となるため、フードがかかる空気の流れに対して大きな抵抗となり、この空気抵抗による空気量の低減を補うために、さらに、ファンの回転速度を高めるなどの処置が必要となる。特に、暑い季節の昼間などのように、外気温度が非常に高い場合には、これに影響されて装置内温度も異常に高くなるので、装置内での空気の熱交換を非常に急速に行なわなければならないが、空気の流量に応じてフードの空気抵抗も増大化し、同じファンの回転速度でフードを設けない場合よりも流量が低減する。このため、この低減量を補うために、ファンの回転速度をさらに高めることが必要となり、その結果、消費電力も増加することになる。
【００１８】
本発明目的は、かかる問題を解消し、騒音を効果的に防止するとともに、消費電力の増加を抑制して適正な装置内温度に設定することができるようにした無線基地局装置を提供することにある。
【００１９】
【課題を解決するための手段】
上記目的を達成するために、本発明は、筐体内を冷却する冷却手段を備えた無線基地局装置であって、この筐体に形成された冷房のための空気の吹出口に設けられた防音シャッタと、規定された時間帯に応じて防音シャッタの開閉状態を変更する第１の制御手段と、筐体内の温度を検出する温度センサと、温度センサの検出温度に応じた冷却手段のファンの回転速度を規定する温度テーブルと、温度センサの検出温度に応じた回転速度を温度テーブルから読み取り、ファンの回転速度を温度テーブルから読み取った回転速度に設定する第２の制御手段とを設けたものである。
【００２０】
【発明の実施の形態】
以下、本発明の実施形態を図面により説明する。
図１は本発明による無線基地局装置の一実施形態の回路ブロック構成を示すブロック図であって、１１は温度センサ、１２は温度テーブル、１３は防音シャッタであり、図７に対応する部分には同一符号を付けて重複する説明を省略する。
【００２１】
この実施形態は、図１に示すように、図７に示す従来の無線基地局装置に対し、無線基地局装置の装置内温度を測定する温度センサ１１と温度テーブル１２と防音シャッタ１３と、図示しないが、この防音シャッタ１３の駆動部などが追加された構成をなしている。ここで、制御部５がこの駆動部を制御することにより、防音シャッタ１３を駆動するものであるが、説明を簡略化するために、かかる駆動部の図示を省略し、制御部５が防音シャッタ１３を駆動する、というように説明する。
【００２２】
図２はかかる防音シャッタ１３の開閉状態を示すものであって、１４はフィルタであり、図１及び図７に対応する部分には同一符号を付けている。
【００２３】
図２において、筐体７には、その空気吹出口９を開閉するように、防音シャッタ１３が設けられている。図２（ａ）は防音シャッタ１３の全開状態を示すものであって、空気吹出口９全体が開放されており、この空気吹出口９全体から筐体７内の熱を吸い取った空気が吹き出される。また、図２（ｂ）は防音シャッッタ１３の半開状態を示すものであって、空気吹出口９の上部から防音シャッタ１３が下がってきてこの空気吹出口９のほぼ上半分を閉じている。従って、筐体７内の熱を吸い取った空気は、空気吹出口９のほぼ下半分から吹き出される。さらに、図２（ｃ）は防音シャッタ１３の全閉状態を示すものであって、空気吹出口９全体がこの防音シャッタ１３で閉じられる。但し、防音シャッタ１３の中央部には、通気するフィルタ１４が設けられており、このフィルタ１４から筐体７内の熱を吸い取った空気を吹き出すことができるようにしている。これにより、防音シャッタ１３を全閉状態にして冷却手段６を動作させても、冷却手段６を動作させて筐体７内を冷却することができる。
【００２４】
なお、このフィルタ１４は、ここでは、その横幅を空気吹出口９の横幅にほぼ等しく、縦幅を空気吹出口９の横幅の１／３程度としているが、これに限るものではない。但し、図２（ｃ）に示すように、防音シャッタ１３を全閉させるのは、筐体７内で発生した騒音を遮断し、外部に出てこないようにするためのものであるから、フィルタ１４をあまり大きくすることができない。また、防音シャッタ１３を全閉状態としても、冷房が行なわれる（即ち、空気の吹き出しができる）ようにするために、フィルタ１４をあまり小さくすることもできない。要するに、冷却手段６のファンを装置内温度に応じた回転速度でファン１０を回転させるとき、良好な冷却効果が得られるような空気量を吹き出すことができる大きさとする。ここでは、一例として、後述するように、装置内温度がほぼ５０℃までは、防音シャッタ１３を全閉しても、良好な冷却運転ができる程度の大きさとする。
【００２５】
図１に戻って、制御部５は、例えば、夜間と昼間とで防音シャッタ１３の開閉状態を異ならせる。即ち、夜間では、騒音防止の観点から、防音シャッタ１３を閉じ気味とする。このように閉じ気味としても、夜間では、昼間に比べて外気温度が低く、装置内温度も低めとなるので、ファンの回転速度も低くできるものであるから、その低め分を利用して防音シャッタ１３を閉じ気味とし、騒音防止を優先するものである。昼間では、騒音防止というよりも、外気温度が高く、装置内温度も高くなりがちであるから、防音シャッタ１３を開き気味とし、その分ファンの回転速度を低くするようにして消費電力の低減を図るようにする。勿論、昼間でも、外気温度が低ければ、防音シャッタ１３を閉じ気味とし、騒音を極力低減するようにする。
【００２６】
しかし、一般に、周囲の状況から、夜間，昼間に限らず、騒音防止を重視しなければならない時間帯と省電力を重視できる時間帯とがあり、騒音防止を重視する時間帯では、上記のように、防音シャッタ１３を閉じ気味にするし（これを、以下、防音モードという）、省電力を重視できる時間帯では、上記のように、防音シャッタ１３を開き気味とする（以下、これを省電力モードという）。
【００２７】
温度テーブル１２は、温度センサ１１の検出温度に対する冷却手段６でのファン１０（図２）の回転速度と防音シャッタ１３の開閉状態との関係を示すものであって、その一具体例を次の表１に示す。
【００２８】
【表１】
2004187166.tif 000003
なお、ここでは、ファン１０（図２）の最大回転速度を５０００ｍｉｎ−１とするが、これに限定されるものではない。また、以下では、防音モードは夜間に設定し、省電力モードは昼間に設定するものとするが、本発明は、上記のように、これのみに限るものではない。
【００２９】
上記表１において、温度センサ１１の検出温度はクラスで区分されており、筐体７（図２）内の装置内温度を検出する温度センサ１１の検出温度が、表示１での温度クラスと照合される。温度クラス０〜４は夫々表１に括弧内に示す温度範囲であり、温度センサ１１の検出温度がかかる温度クラス０〜４のいずれかにあるときには、防音シャッタ１３は、夜間で全閉しており、昼間で半開している。なお、夜間は、騒音が特に問題となる時間帯であって、例えば、午後４時から翌日の午前８時とし、昼間は午前８時から午後４時とするなど、適宜決めることができる。
【００３０】
夜間か昼間かの判定は、制御部５が内蔵のタイマを用いて判定するようにし、夜間から昼間に切り換わると、省電力モードとなって防音シャッタ１３を半開状態に初期設定し、昼間から夜間に切り換わると、防音モードとなって防音シャッタ１３を全閉状態に初期設定する。そして、制御部５は、温度センサ１１からその検出温度を取り込み、表１に示す温度テーブル１２と照合してどの温度クラスに入るかを判定し、該当する温度クラスに対するファン回転速度を読み取って、このファン回転速度でファン１０（図２）が回転するように、冷却手段６を制御する。これにより、例えば、検出温度が３０℃とすると、上記表１により、制御部５は温度テーブル１２からファン回転速度３０００ｍｉｎ−１を読み取り、この回転速度でファン１０を回転させる。このとき、防音モードでは、防音シャッタ１３が全閉状態にあり、省電力モードでは、防音シャッタ１３が半開状態にある。
【００３１】
温度センサ１１の検出温度は一定の周期で制御部５に取り込まれ、次に検出温度を取り込むときには、冷却手段６の冷却運転により、通常、筐体７内の温度（装置内温度）、従って、検出温度も低下している。制御部５はこの低下した検出温度に対応するファン回転速度を温度テーブル１２から読み取り、ファン１０をこの回転速度で回転させる。このようにして、装置内温度は順次低下していく。なお、制御部５は、検出温度を複数回取り込む毎にその平均値を求め、この平均検出温度に対応する温度クラスの回転速度を温度テーブル１２から読み取ってファン１０の回転速度を設定するようにしてもよい。
【００３２】
このようにして、時間経過とともに、装置内温度も下がっていき、これとともに、温度センサ１１の検出温度も低下していって温度ランクも下がっていき、ファン１０の回転速度も低くなっていく。そして、温度ランクが０となると、ファン１０は停止することになる。この状態で装置内温度が再び高くなって０℃を越えると、温度ランクが０から１に変化するから、制御部５は再びファン１０を２０００ｍｉｎ−１の回転速度で回転させることになる。
【００３３】
また、例えば、昼間で省電力モードにあるときには、外気温度が上昇して行くとともに、そのときのファン１０の回転速度では、充分な冷却が行なわれず、装置内温度が上昇した場合には、温度ランクも上昇するから、これとともに、ファン１０の回転速度も高くなる。
【００３４】
また、外気温度などの関係から、温度テーブル１２で指定されるファン１０の回転速度では、装置内温度が低下できず、所定回数温度センサ１１の検出温度をみても、それが変化しない場合もある。かかる状態を、以下、装置内温度が飽和したということにする。かかる装置内温度の飽和状態で温度センサ１１の検出温度が予め設定された筐体７内での適正な温度範囲（以下、適正温度範囲という）内にあるならば、ファン１０を同じ回転速度で回転させることにする。
【００３５】
しかし、装置内温度が飽和して検出温度を所定回数取り込んでも、それに変化がなく、しかも、この検出温度が適正温度範囲を越えているときには、制御部５は、ファン１０の回転速度をそのときのものに保持して、夜間の防音モードの場合には、防音シャッタ１３を全閉状態から半開状態に変更し、昼間の省電力モードの場合には、防音シャッタ１３を半開状態から全開状態に変更する。例えば、温度ランク２で装置内温度が飽和した場合には、防音シャッタ１３を、防音モードの場合、全閉状態から半開状態に変更し、省電力モードの場合には、防音シャッタ１３を半開状態から全開状態に変更する。即ち、表１での温度ランク５とするものである。同様にして、表１により、温度ランク３で装置内温度が飽和した場合には、温度ランク６の状態とし、温度ランク４で装置内温度が飽和した場合には、温度ランク７の状態とする。
【００３６】
このように、装置内温度が適正温度範囲を越えた温度に飽和したときには、防音シャッタ１３の開閉状態を開く方向に変更することにより、騒音は増加するが、装置内での熱交換効率が向上し、これによって冷房効率が上昇して装置内温度が低くなっていく。そして、これによって指定された温度ランク５，６，７の温度範囲を下回る状態となると、温度ランク７の場合には、上記と同様に、防音シャッタ１３の開閉状態はそのまま保持されて、ファン１０の回転速度が低下され、順次温度ランク６，５へと変更されていき、温度ランク６の場合も、同様にして、温度ランク５へと変更される。しかし、温度ランク５の場合に、その温度範囲を下回る場合には、装置内温度が上記の適正温度範囲に入っているので、ファン１０の回転速度が３０００ｍｉｎ−１から２０００ｍｉｎ−１に変更され、さらに、夜間の防音モードの場合には、防音シャッタ１３が半開状態から全閉状態に、昼間の省電力モードの場合には、防音シャッタ１３が全開状態から半開状態に夫々変更されて、温度ランク１の状態に設定される。
【００３７】
また、夜間の防音モードの場合には、さらに、温度ランク６にあっても、装置内温度が飽和しているときには、防音シャッタ１３が、さらに、半開状態から全開状態に変更されて、表１に示す温度ランク８の状態に設定され、また、温度ランク７にあっても、装置内温度が飽和しているときには、防音シャッタ１３が、さらに、半開状態から全開状態に変更されて、表１に示す温度ランク９の状態に設定される。昼間の省電力モードの場合には、温度ランク６，７で既に防音シャッタ１３が全開状態に設定されているので、温度ランク８，９になることはなく、そのまま温度ランク６，７の状態が維持されることになる。
【００３８】
このようにして、適正温度範囲を越えて装置内温度が飽和したときには、防音防止シャッタ１３を開くようにして冷房能力を高めるようにする。これにより、騒音が多少増加するが、消費電力の増加を抑えることができる。
【００３９】
次に、以上の制御部５の動作をさらに詳細に説明する。
【００４０】
図３は測定温度が温度クラス１までの制御部５の制御動作を示すフローチャートである。
【００４１】
同図において、ステップ１００は制御部５が検出する夜間の時間帯と昼間の時間帯との切替え時点を示すものであり、この時点になると、昼間の時間帯から夜間の時間帯に切り替わったときには（ステップ１０１）、防音モードとして、上記表１に示すように、防音シャッタ１３を全閉状態にし（ステップ１０２）、夜間の時間帯から昼間の時間帯に切り替わったときには（ステップ１０１）、防音モードとして、上記のように、防音シャッタ１３を半開状態にする（ステップ１０３）。また、このとき、制御部５は、温度ランクを０として保持する。
【００４２】
かかる防音モードもしくは省電力モードにおいて、温度センサ１１の検出温度を取り込んで装置内温度を測定し（ステップ１０４）、規定した回数、例えば、５回測定したかどうかを判定し、規定回数測定していなければ（ステップ１０５）、次の装置内温度の測定（ステップ１０４）を待つ。そして、規定回数の測定をすると（ステップ１０４）、この規定回数部の測定による検出温度を平均化し、その平均値を測定温度とする（ステップ１０６）。
【００４３】
このようにして測定温度が得られると、制御部５はこの測定温度と上記表１で示す温度テーブル１２での各温度ランクの温度範囲とを照合し（ステップ１０７）、この測定温度が温度クラス０であるか否か判定する（ステップ１０８）。温度クラス０である場合には、制御部５は、温度テーブル１２からこの温度ランク０のファン回転速度０ｍｉｎ−１を読み出し、これによってファン１０を停止状態とするとともに、温度テーブル１２との照合結果である温度ランクの値０を保持する。そして、ステップ１０４からの制御動作を繰り返す。
【００４４】
また、測定温度が、温度クラス０ではなく、温度テーブル１２の温度クラス１であるときには（ステップ１１０）、制御部５は温度テーブル１２からこの温度クラス１のファン回転速度２０００ｍｉｎ−１を読み取り、ファン１０をこの回転速度で回転させるとともに、温度テーブル１２との照合結果である温度ランクの値０を保持する。そして、ステップ１０４に戻る。
【００４５】
このようにして、測定温度が温度クラス０（０℃以下）のときには、ファン１０を停止状態にしたままとする。しかし、装置内温度が上昇して測定温度が温度クラス１なると、ファン１０を２０００ｍｉｎ−１で回転させる。また、測定温度が温度クラス１のときには、ファン１０を２０００ｍｉｎ−１で回転駆動する状態に保持するが、その後、装置内温度が低下して、測定温度が温度クラス０になると、ファン１０を停止させる。
【００４６】
次に、図４により、測定温度が温度ランク２〜４の場合の動作について説明する。
【００４７】
同図において、温度テーブル１２と照合して、測定温度が温度クラス２である場合には（ステップ１１２）、制御部５は、その保持している温度ランクも用いて、この温度クラス２が所定回数Ｎ（例えば、Ｎ＝５）繰り返したか否か判定する（ステップ１１３）。つまり、測定温度が温度ランク２以上のときには、このように、制御部５が保持している過去Ｎ−１回の温度テーブル１２との照合による温度クラスと今回の照合による温度クラスとから同じ温度クラスがこの所定回数Ｎだけ続いたか否かを判定することにより装置内温度が飽和したか否かを判定する。温度クラス２が所定回数Ｎだけ続くと、装置内温度が飽和したとして、図５のステップ１２０に移行するが、温度クラス２が所定回数Ｎ繰り返していなければ、温度テーブル１２からこの温度クラス２に対する回転速度３０００ｍｉｎ−１を読み取りとし、ファン１０をこの回転速度で回転させる状態とする（ステップ１１４）。そして、制御部５はこの温度クラス２を保持し、図３のステップ１０４に戻る。
【００４８】
なお、制御部５としては、温度クラスをこの所定回数Ｎ以上の分保持すればよい。また、温度テーブル１２との照合による温度クラスが１以下のときには、制御部５は必ずしもかかる温度クラスを保持する必要がなく、また、これまで保持していた２以上の温度クラスを消去してもよい。
【００４９】
また、温度テーブル１２と照合して、測定温度が温度クラス３である場合には（ステップ１１５）、制御部５は、その保持している温度ランクをも用いて、この温度クラス３が上記の所定回数Ｎ続いたか否か判定し（ステップ１１６）、続いたならば、装置内温度が飽和したとして、図５のステップ１２１に移行するが、温度クラス３が所定回数Ｎ続いていなければ、温度テーブル１２から回転速度４０００ｍｉｎ−１を読み取りとし、ファン１０をこの回転速度で回転させる状態とする（ステップ１１７）。そして、制御部５はこの照合結果の温度クラス３を保持し、図３のステップ１０４に戻る。
【００５０】
さらに、温度テーブル１２と照合して、測定温度が温度クラス２，３でない場合には（ステップ１１２，１１５）、温度クラス４であり、制御部５は、その保持している温度ランクを用いて、この温度クラス４が上記の所定回数Ｎ続いたか否か判定し（ステップ１１８）、続いたならば、装置内温度が飽和したとして、図５のステップ１２２に移行するが、温度クラス４が所定回数Ｎ続いていなければ、温度テーブル１２からファン回転速度５０００ｍｉｎ−１を読み取り、ファン１０をこの回転速度で回転させる状態とする（ステップ１１９）。そして、制御部５はこの照合結果の温度クラス４を保持し、図３のステップ１０４に戻る。
【００５１】
次に、図５により、測定温度が温度ランク５〜７の場合の動作について説明する。
【００５２】
同図において、温度ランク２が規定回数Ｎ続くと（図４のステップ１１３）、制御部５は、夜間では、防止シャッタ１３を全閉状態（図２（ｃ））から半開状態（図２（ｂ））に変更し、また、昼間では、防止シャッタ１３を半開状態（図２（ｂ））から全開状態（図２（ａ））に変更して夫々温度ランク５とし、これを保持する（ステップ１２０）。また、温度ランク３が規定回数Ｎ続くと（図４のステップ１１６）、制御部５は、夜間では、防止シャッタ１３を全閉状態から半開状態に変更し、また、昼間では、防止シャッタ１３を半開状態から全開状態に変更して夫々温度ランク６とし、これを保持する（ステップ１２１）。さらに、温度ランク４が規定回数Ｎ続くと（図４のステップ１１８）、制御部５は、夜間では、防止シャッタ１３を全閉状態から半開状態に変更し、また、昼間では、防止シャッタ１３を半開状態から全開状態に変更して夫々温度ランク７とし、これを保持する（ステップ１２２）。
【００５３】
そして、このように、ステップ１２０〜１２２で夫々防止シャッタ１３の開閉状態が変更されると、まず、制御部５は、自己が保持している温度クラスがクラス５か否か判定し（ステップ１２３）、温度クラス５であるときには、温度センサ１１からの検出温度によるステップ１０６で求めた測定温度がこの温度クラス５の温度範囲（２１℃〜３５℃：表１）を下回らない場合には（ステップ１２４）、図３のステップ１０４に戻って温度センサ１１の検出温度の次の取り込みを行なうが、測定温度がこの温度クラス５の温度範囲を下回る場合には、装置内温度が上記の２０℃以下の適正温度範囲に入るから、温度ランクをランク５からランク２に変更する（ステップ１２５）。このために、温度テーブル１２（上記表１）をもとに、防音シャッタ１３を半開状態から全閉状態に変更するとともに、ファン１０の回転速度を２０００ｍｉｎ−１とする。そして、図３のステップ１０４に戻る。
【００５４】
制御部５が保持している温度クラスがクラス５でないときには（ステップ１２３）、制御部５は、クラス６か否か判定し（ステップ１２６）、温度クラス６であるときには、温度センサ１１からの検出温度によるステップ１０６で求めた測定温度がこの温度クラス６の温度範囲（３６℃〜４９℃：表１）を下回らない場合には（ステップ１２７）、図６のステップ１３１に進むが、測定温度がこの温度クラス６の温度範囲を下回る場合には、温度ランクをランク６からランク５に変更する（ステップ１２８）。このために、温度テーブル１２（上記表１）をもとに、防音シャッタ１３は、夜間では、そのまま半開状態に保持し、また、昼間では、そのまま全開状態に保持し、ファン１０の回転速度を４０００ｍｉｎ−１から３０００ｍｉｎ−１に変更する。そして、図３のステップ１０４に戻る。
【００５５】
制御部５が保持している温度クラスがクラス５，６でないときには（ステップ１２３，１２６）、温度クラスがクラス７であり、制御部５は、温度センサ１１からの検出温度によるステップ１０６で求めた測定温度がこの温度クラス７の温度範囲（５０℃〜５２℃：表１）を下回るか否か判定し（ステップ１２９）、下回らない場合には、図６のステップ１３３に進むが、測定温度がこの温度クラス７の温度範囲を下回る場合には、温度ランクをランク７からランク６に変更する（ステップ１３０）。このために、温度テーブル１２（上記の表１）をもとに、防音シャッタ１３は、夜間では、そのまま半開状態に保持し、また、昼間では、そのまま全開状態に保持し、ファン１０の回転速度を５０００ｍｉｎ−１から４０００ｍｉｎ−１に変更する。そして、図３のステップ１０４に戻る。
【００５６】
このようにして、外気温度が高いことなどによって、冷房手段６を動作させても、装置内温度が下がらない場合には、防音シャッタ１３を開くことになるから、装置内温度を低下させることができ、装置内温度の低下とともに、ファン１０の回転速度を低下させて消費電力の低減を図ることができる。そして、充分装置内温度が低下し、適正温度範囲になると、ファン１０の回転速度を低下させるとともに、防音シャッタ１３を閉じるようにするものであるから、消費電力の低減とともに、騒音防止を達成できることになる。
【００５７】
次に、図６により、測定温度が温度ランク８，９の場合の動作について説明する。これら温度ランクは、温度テーブル１２の内容を示す表１から明らかなように、夜間にのみ設定される。
【００５８】
同図において、制御部５に温度ランク６が保持されているときに、図３のステップ１０６で得られる測定温度が所定回数Ｍだけ続けてこの温度ランク６の温度範囲（３６℃〜４９℃：表１）を下回らないとき（図５のステップ１２７）、夜間の防音モードにあるときには（ステップ１３１）、制御部５は防音シャッタ１３を全開し、温度ランクをランク８とする。また、制御部５に温度ランク７が保持されているときに、図３のステップ１０６で得られる測定温度が所定回数Ｍだけ続けてこの温度ランク７の温度範囲（５０℃以上：表１）を下回らないとき（図５のステップ１２９）、夜間の防音モードにあるときには（ステップ１３３）、制御部５は防音シャッタ１３を全開し、温度ランクをランク９とする。
【００５９】
そして、まず、制御部５は、自己が保持している温度クラスがクラス８か否か判定し（ステップ１３５）、温度クラス８であるときには、温度センサ１１からの検出温度によるステップ１０６で求めた測定温度がこの温度クラス８の上記温度範囲を下回らない場合には（ステップ１３６）、図３のステップ１０４に戻って温度センサ１１の検出温度の次の取り込みを行なうが、測定温度がこの温度クラス８の温度範囲を下回る場合には、防音シャッタ１３を全開状態から半閉状態に変更して温度ランク５する（ステップ１３７）。そして、図３のステップ１０４に戻る。
【００６０】
また、制御部５が保持している温度クラスがクラス８ではなく（ステップ１３５）、クラス９であるときには、制御部５は温度センサ１１からの検出温度によるステップ１０６で求めた測定温度がこの温度クラス９の上記温度範囲を下回るか否か判定し（ステップ１３８）、下回らない場合には、図３のステップ１０４に戻るが、測定温度がこの温度クラス９の温度範囲を下回る場合には、防音シャッタ１３を全開状態に保持したまま、ファン１０の回転速度を５０００ｍｉｎ−１から４０００ｍｉｎ−１に変更し、温度ランクをランク８に変更する。そして、図３のステップ１０４に戻る。
【００６１】
このようにして、夜間では、装置内温度が下がらない場合には、防音シャッタ１３を全開状態でファン１０を最大の回転速度付近で回転させることができ、これによって、急速に装置内温度を低下させることができて防音シャッタ１３が閉じる方向の防音モードに戻すことが可能となる。
【００６２】
以上、本発明の一実施形態について説明したが、本発明はかかる実施形態のみに限定されるものではない。例えば、上記実施形態では、具体的にファン１０の回転速度を数値で示したが、かかる数値は一例を示しているものに過ぎない。また、防音モードを夜間とし、省電力モードを昼間としたが、周囲環境に応じて寝かかる防音モードと省電力モードの時間帯を適宜決めることができる。更に、防音シャッタとしては、図２に示すように、全閉，半開，全開の３段階の開閉状態を取りえるものとしたが、これに限らず、２段階や４段階以上の開閉状態を取りえるものであってもよく、これに応じて、温度ランク設定ややこれに応じたファン１０の回転数を適宜割り当てるようにすることが可能である。
【００６３】
【発明の効果】
以上説明したように、本発明によれば、騒音防止と消費電力の低減を図りながら、冷却手段を能率的に動作させて装置内温度を下げることが可能となる。
【図面の簡単な説明】
【図１】本発明による無線基地局装置の一実施形態の回路ブロック構成を示すブロック図である。
【図２】図１に示す実施形態の概略外観を示す斜視図である。
【図３】図１及び図２における冷却手段の制御動作の一具体例の測定温度が温度クラス１までの部分を示すフローチャートである。
【図４】図３に示す制御動作に続く測定温度が温度クラス２〜４の部分の制御動作を示すフローチャートである。
【図５】図４に示す制御動作に続く測定温度が温度クラス５〜７の部分の制御動作を示すフローチャートである。
【図６】図５に示す制御動作に続く測定温度が温度クラス８，９の部分の制御動作を示すフローチャートである。
【図７】無線基地局装置の一従来例の回路ブロック構成を示すブロック図である。
【図８】図７に示す従来例の概略外観を示す斜視図である。
【符号の説明】
１  送受信アンテナ
２  無線部
３  信号処理部
４  有線インターフェース部
５  制御部
６  冷却手段
７  筐体
８  空気吸込口
９  空気吹出口
１０  ファン
１１  温度センサ
１２  温度テーブル
１３  防音シャッタ
１４  フィルタ
【図１】
2004187166.tif 000004
【図２】
2004187166.tif 000005
【図３】
2004187166.tif 000006
【図４】
2004187166.tif 000007
【図５】
2004187166.tif 000008
【図６】
2004187166.tif 000009
【図７】
2004187166.tif 000010
【図８】
2004187166.tif 000011